(57)【要約】【課題】注射器補助治具において種々の形状の針キャップを容易に取り外すことができ汎用性を向上することができるようにする。【解決手段】注射器５０に固定された注射針５３にかぶせられた針キャップ５４を抜去する注射器補助治具１であって、針キャップ５４が装着された注射器５０を配置して、注射針５３の中心軸線に沿う軸線方向における注射器５０の位置を固定する注射器収容部材５と、針キャップ５４を軸線方向に対する側方から保持する針キャップ保持部材６と、針キャップ保持部材６が針キャップ５４を保持する保持状態とこの保持状態を解除される保持解除状態とを切り替えるとともに、保持状態において針キャップ保持部材６を軸線方向に沿って移動させる連動機構１０と、連動機構１０の動作を操作する操作部材４Ｌ、４Ｒと、を備える構成とする。【選択図】図１
2015208567.tif 000002
【特許請求の範囲】
【請求項１】
注射器に固定された注射針にかぶせられた針キャップを抜去する注射器補助治具であって、
前記針キャップが装着された前記注射器を配置して、前記注射針の中心軸線に沿う軸線方向における前記注射器の位置を固定する注射器収容部と、
前記針キャップを前記軸線方向に対する側方から保持する針キャップ保持部材と、
該針キャップ保持部材が前記針キャップを保持する保持状態と該保持状態を解除される保持解除状態とを切り替えるとともに、前記保持状態において前記針キャップ保持部材を前記軸線方向に沿って移動させる連動機構部と、
該連動機構部の動作を操作する操作部材と、
を備える、注射器補助治具。
【請求項２】
前記針キャップ保持部材は、
前記針キャップの外周面を半周以上にわたって囲むことができるとともに、前記針キャップの外周面を間に挟んで接離可能な保持部を備え、
前記保持部は、
前記保持状態において前記針キャップの中心部に向かって前記針キャップの外周面を押圧する、
ことを特徴とする、請求項１に記載の注射器補助治具。
【請求項３】
前記保持部は、
弾性体に支持され、該弾性体の変形により、前記針キャップの外周面を押圧可能な位置に移動する押圧部を有し、
前記連動機構部は、
前記押圧部を、前記針キャップの外周面の側方に離間する位置から前記外周面を押圧する位置に案内する第１案内部と、
前記押圧部を、前記外周面を押圧する位置に保持する第２案内部と、
前記押圧部を、前記外周面を押圧する位置から前記外周面の側方に離間する位置に案内する第３案内部と、
を、前記針キャップ保持部材の移動方向に沿って、この順に備える
ことを特徴とする請求項２に記載の注射器補助治具。
【請求項４】
前記操作部材は、
前記注射器収容部に配置された前記注射器の中心軸線に関して線対称に移動するように設けられ、
前記連動機構部は、
前記操作部材が前記中心軸線の近づく際の前記操作部材の動きを、前記軸線方向に沿う動きに変換して、前記針キャップ保持部材に伝達する
ことを特徴とする請求項１〜３のいずれか１項に記載の注射器補助治具。
【発明の詳細な説明】
【技術分野】
【０００１】
本発明は注射器補助治具に関する。
【背景技術】
【０００２】
従来、例えば、指先や手が不自由な患者さんでも自己注射を行う際に注射器の針キャップを容易に外すことができる注射器補助治具が提案されている。
例えば、特許文献１には、注射器内部に充填された治療薬を患者自らが注射する自己注射を補助する自己注射補助具であって、注射器を固定する本体と、本体に対して開閉自在である透明なカバーとを備え、カバーは、注射器が正しい位置で本体に固定されている場合に、本体に対して閉鎖およびロックされることができ、自己注射補助具がさらに、注射器の針キャップを抜去するための針キャップ抜去機構部と、本体に対するカバーの閉鎖動作に応じて、針キャップ抜去機構部を動作させる動作機構部とを備える装置が記載されている。
特許文献１に記載の自己注射補助具は、カバーの開閉に連動するカムによって、注射器の針キャップに係止する爪部を有する針キャップ抜去機構部を付勢して、針キャップを押し出すことにより、針キャップを抜くようになっている。
【先行技術文献】
【特許文献】
【０００３】
【特許文献１】特開２０１１−９８１３３号公報
【発明の概要】
【発明が解決しようとする課題】
【０００４】
しかしながら、上記のような従来技術には、以下のような問題があった。
特許文献１に記載の自己注射補助具は、爪部を針キャップの後方に係止し、前方に付勢することよって針キャップを外す。このため、爪部を後方から係止できるように取り付けられた針キャップを有する注射器に対してしか用いることができないという問題がある。
また、付勢された針キャップは、加速されると爪部から離れて飛び出してしまうため、針キャップをなくしやすいという問題もある。
【０００５】
本発明は、上記のような問題に鑑みてなされたものであり、種々の形状の針キャップを容易に取り外すことができ汎用性を向上することができる注射器補助治具を提供することを目的とする。
【課題を解決するための手段】
【０００６】
上記の課題を解決するために、本発明の態様の注射器補助治具は、注射器に固定された注射針にかぶせられた針キャップを抜去する注射器補助治具であって、前記針キャップが装着された前記注射器を配置して、前記注射針の中心軸線に沿う軸線方向における前記注射器の位置を固定する注射器収容部と、前記針キャップを前記軸線方向に対する側方から保持する針キャップ保持部材と、該針キャップ保持部材が前記針キャップを保持する保持状態と該保持状態を解除される保持解除状態とを切り替えるとともに、前記保持状態において前記針キャップ保持部材を前記軸線方向に沿って移動させる連動機構部と、該連動機構部の動作を操作する操作部材と、を備える構成とする。
【０００７】
上記注射器補助治具では、前記針キャップ保持部材は、前記針キャップの外周面を半周以上にわたって囲むことができるとともに、前記針キャップの外周面を間に挟んで接離可能な保持部を備え、前記保持部は、前記保持状態において前記針キャップの中心部に向かって前記針キャップの外周面を押圧することが好ましい。
【０００８】
上記注射器補助治具では、前記保持部は、弾性体に支持され、該弾性体の変形により、前記針キャップの外周面を押圧可能な位置に移動する押圧部を有し、前記連動機構部は、前記押圧部を、前記針キャップの外周面の側方に離間する位置から前記外周面を押圧する位置に案内する第１案内部と、前記押圧部を、前記外周面を押圧する位置に保持する第２案内部と、前記押圧部を、前記外周面を押圧する位置から前記外周面の側方に離間する位置に案内する第３案内部と、を、前記針キャップ保持部材の移動方向に沿って、この順に備えることが好ましい。
【０００９】
上記注射器補助治具では、前記操作部材は、前記注射器収容部に配置された前記注射器の中心軸線に関して線対称に移動するように設けられ、前記連動機構部は、前記操作部材が前記中心軸線の近づく際の前記操作部材の動きを、前記軸線方向に沿う動きに変換して、前記針キャップ保持部材に伝達することが好ましい。
【発明の効果】
【００１０】
本発明の注射器補助治具によれば、針キャップ保持部材によって針キャップを側方から保持した状態で針キャップ保持部材を移動することにより、針キャップを抜去することができるため、種々の形状の針キャップを容易に取り外すことができ汎用性を向上することができるという効果を奏する。
【図面の簡単な説明】
【００１１】
【図１】本発明の実施形態の注射器補助治具と、これにより針キャップを抜去する注射器の一例を示す模式的な斜視図である。
【図２】本発明の実施形態の注射器補助治具の注射器収容部の構成を示す模式的な平面図、およびＡ部の部分拡大図である。
【図３】本発明の実施形態の注射器補助治具の針キャップ保持部材の模式的な平面図、そのＢ−Ｂ断面図、およびＣ視の左側面図である。
【図４】本発明の実施形態の注射器補助治具の保持解除状態と保持状態とにおける模式的な平面図である。
【図５】本発明の実施形態の注射器補助治具の操作部材の模式的な下面図である。
【図６】本発明の実施形態の注射器補助治具の注射器収容動作を説明する斜視図および平面図である。
【図７】本発明の実施形態の注射器補助治具の保持解除状態における針キャップと針キャップ保持部材との関係を示す模式図である。
【図８】本発明の実施形態の注射器補助治具の保持状態における針キャップと針キャップ保持部材との関係を示す模式図である。
【図９】本発明の実施形態の注射器補助治具の針キャップ抜去動作を説明する斜視図および平面図である。
【発明を実施するための形態】
【００１２】
以下では、本発明の実施形態の注射器補助治具について添付図面を参照して説明する。
図１は、本発明の実施形態の注射器補助治具と、これにより針キャップを抜去する注射器の一例を示す模式的な斜視図である。図２（ａ）は、本発明の実施形態の注射器補助治具の注射器収容部の構成を示す模式的な平面図である。図２（ｂ）は、図２（ａ）におけるＡ部の部分拡大図である。図３（ａ）は、本発明の実施形態の注射器補助治具の針キャップ保持部材の模式的な平面図である。図３（ｂ）は、図３（ａ）におけるＢ−Ｂ断面図である。図３（ｃ）は、図３（ａ）におけるＣ視の左側面図である。図４（ａ）、（ｂ）は、本発明の実施形態の注射器補助治具の保持解除状態と保持状態とにおける模式的な平面図である。図５は、本発明の実施形態の注射器補助治具の操作部材の模式的な下面図である。
なお、各図は模式図のため、形状や寸法は誇張されている（以下の図面も同様）。
【００１３】
図１に示すように、本実施形態の注射器補助治具１は、注射器５０に固定された注射針５３にかぶせられた針キャップ５４を抜去するための装置である。
注射器５０の構成は、特に限定されないが、以下では、一例として、外筒部５１、押し子５２、注射針５３、および針キャップ５４を備える例で説明する。
【００１４】
外筒部５１は、内部に薬液を保持する装置部分であり、先端側に注射針５３を取り付ける図示略の筒状部を備え、後端側に、フランジ部５１ａと、つば部５１ｂとが設けられている。
外筒部５１の外形は、多角柱状でもよいが、本実施形態では、一例として、円柱状の場合の例で説明する。
フランジ部５１ａは、注射を行う際に使用者が指をかけるため、外筒部５１の側面から延ばされた突片からなる。本実施形態では、外筒部５１の中心軸線Ｃに直交する方向において、外筒部５１を挟んで対向するように設けられている。
このため、外筒部５１をフランジ部５１ａの対向方向に直交する方向から見ると、外筒部５１はＴ字状の形状になっている。
つば部５１ｂは、フランジ部５１ａの対向方向と直交する方向において、外筒部５１の側面から突出して設けられた凸部であり、フランジ部５１ａと同様、外筒部５１の中心軸線Ｃに直交する平面に整列されている。つば部５１ｂの突出量は、フランジ部５１ａの突出量に比べて小さい。
【００１５】
押し子５２は、外筒部５１の内部に挿入して、外筒部５１内の薬液を加圧するためのもので、外筒部５１に挿入される先端部には、図示略のガスケットが設けられている。
押し子５２の基端部には、押し子５２を外筒部５１の中心軸線Ｃに沿って押し込む際に使用者の指を押し当てる押し子ヘッド５２ａが設けられている。
【００１６】
注射針５３は、外筒部５１の先端部に取り付けられた際に、外筒部５１の中心軸線Ｃに整列する真直な形状を有する。このため、外筒部５１の中心軸線Ｃは、注射針５３の中心軸線にもなっている。
【００１７】
針キャップ５４は、注射器５０を使用しないときに、注射針５３が露出しないように、注射針５３にかぶせておく部材である。本実施形態では、針キャップ５４は、有底円筒状の合成樹脂製のキャップ本体５４ａと、キャップ本体５４ａの中心部に注射針５３を挿入する挿入穴を有する軟性の緩衝材（図１では図示略、図９（ｂ）参照）とを備える。
このため、針キャップ５４は、注射器５０に装着された状態では、中心軸線Ｃと同軸の位置関係にある。
【００１８】
キャップ本体５４ａの外径は、外筒部５１の外径よりも小さい。ただし、キャップ本体５４ａの外径は一定とは限らず、例えば、テーパが設けられていてもよい。本実施形態では、後述するように、キャップ本体５４ａの基端部（外筒部５１に向く側の端部）の側面を側方から保持して抜去を行う。この保持位置でのキャップ本体５４ａの外径をＤとする。
キャップ本体５４ａの装着時には、キャップ本体５４ａの基端部は、外筒部５１の先端部と当接している。キャップ本体５４ａの基端部と外筒部５１の先端部とは、外周部に隙間や溝が形成された状態で当接していてもよいが、後述するように本実施形態では、そのような隙間や溝を用いることなく針キャップ５４を抜去できる。このため、キャップ本体５４ａの基端部と外筒部５１の先端部とが密着状態で当接することが可能である。
【００１９】
注射器補助治具１は、注射器収容部材５（注射器収容部）、針キャップ保持部材６、および操作部材４Ｌ、４Ｒを備える。
【００２０】
注射器収容部材５は、針キャップ５４が装着された注射器５０を配置して、中心軸線Ｃに沿う軸線方向における注射器５０の位置を固定する注射器収容部を構成する部材である。
図２（ａ）に示すように、注射器収容部材５は、底板５Ａ、側壁５Ｄ、先端ストッパ５Ｃ、およびガイド柱部５Ｂを備える。
底板５Ａは、フランジ部５１ａの対向方向に直交する方向から見た外筒部５１の外形よりも大きい略Ｔ字状の外径を有する板状部である。
側壁５Ｄ、先端ストッパ５Ｃ、およびガイド柱部５Ｂは、底板５Ａ上に、底板５Ａの対称軸になっている中心軸線Ｏ５に関して線対称な位置に線対称な形状で対をなして設けられている。
【００２１】
なお、上記「線対称」は、平面視において線対称という意味である。
また、平面視とは、注射器収容部材５を構成する各部材に関して、図１のＩ矢視の意味であり、注射器収容部材５への注射器５０の挿入方向と一致している。
また、このような線対称の形状等では、立体的な形状等として一致する場合、すなわち、中心軸線Ｏ５を含み底板５Ａに直交する対称面に関して面対称である場合と、一致しない場合とがある。以下では、簡単のため、特に断らない限りは、線対称かつ面対称になっているものとする。
また、互いに線対称である部材、部位、形状等の説明は、線対称である点以外は同一の説明になるため、同一の符号を付して説明を省略する場合がある。
【００２２】
側壁５Ｄは、注射器５０の外筒部５１を収容するためのＴ字状の溝部を形成する部材であり、底板５Ａの一方の表面から突出された、一対の第１側壁部５ｅと一対の第２側壁部５ｆとを備える。第１側壁部５ｅおよび第２側壁部５ｆの突出高さは、外筒部５１を良好に収容できれば、特に限定されないが、例えば、外筒部５１を半分以上覆うことができる高さであることが好ましい。また、第１側壁部５ｅおよび第２側壁部５ｆの突出高さは、外筒部５１を収容したときに外筒部５１が第１側壁部５ｅおよび第２側壁部５ｆの高さを超えない寸法であることがより好ましい。
本実施形態では、一例として、第１側壁部５ｅおよび第２側壁部５ｆの突出高さは、外筒部５１の外径に、後述する針キャップ保持部材６のスライド板６Ａの厚さを加えた寸法以上の高さとしている。このため、収容時に、外筒部５１が第１側壁部５ｅおよび第２側壁部５ｆから突出しないようになっている。
【００２３】
第１側壁部５ｅは、外筒部５１の外径よりもわずかに広い幅をあけて、中心軸線Ｏ５に沿って延ばされた平板状の一対の壁体である。
第１側壁部５ｅで挟まれた底板５Ａの表面は、後述する針キャップ保持部材６を摺動可能に配置する平坦面であるスライド面５ａを構成している。
スライド面５ａには、中心軸線Ｏ５と同軸に延ばされた長孔状の貫通孔からなるガイド孔部５ｂが形成されている。ガイド孔部５ｂは、後述する針キャップ保持部材６の係合ピン６ａをスライド可能に挿入し、中心軸線Ｏ５に沿う移動を案内するための形状部である。
【００２４】
第２側壁部５ｆは、第１側壁部５ｅの一端部（図２（ａ）の図示右側の端部）から側方（図２（ａ）の図示上下方向）に向かって、それぞれ平面視Ｕ字状をなして、中心軸線Ｏ５に関して線対称に設置された一対の壁体である。
以下、注射器収容部材５および注射器補助治具１において、中心軸線Ｏ５に沿う方向の端部のうち、第２側壁部５ｆが設けられた方の端部を基端部、第２側壁部５ｆと反対側の端部を先端部と称する。
【００２５】
各第２側壁部５ｆの内周面は、第１側壁部５ｅの間に注射器５０の外筒部５１を挿入したときに、注射器５０のフランジ部５１ａの外形を取り巻く形状に形成されている。このため、各第２側壁部５ｆの内周面は、フランジ部５１ａを第２側壁部５ｆの突出方向に沿って、挿入可能なフランジ収容穴５ｇを構成している。
底板５Ａにおいて、フランジ収容穴５ｇの間の領域には、外筒部５１のつば部５１ｂを中心軸線Ｏ５に沿う方向に係止して、外筒部５１の中心軸線Ｏ５に沿う方向の位置決めを行うフランジ係止孔５ｑが設けられている。
【００２６】
先端ストッパ５Ｃは、注射器収容部材５の先端部において、針キャップ５４の抜去時に、針キャップ５４を外部に挿通させるともに、スライド面５ａ上にスライド可能に支持された針キャップ保持部材６の抜け止めを行う装置部分である。
本実施形態では、先端ストッパ５Ｃは、注射器収容部材５の先端部において底板５Ａから突出された、中心軸線Ｃに直交する平面に沿う一対の平板状の突起部からなる。
各先端ストッパ５Ｃの間には、針キャップ５４の最大外径より大きく、後述する針キャップ保持部材６の先端部の幅よりも狭い隙間Ｗ０を有する先端開口５ｃが形成されている。
各先端ストッパ５Ｃの突出高さは、針キャップ保持部材６の抜け止めが可能であれば特に限定されないが、本実施形態では、一例として、後述するガイド柱部５Ｂの突出方向の先端部と整列する高さになっている。
【００２７】
ガイド柱部５Ｂは、スライド面５ａの側方における、第１側壁部５ｅと先端ストッパ５Ｃとの間の領域で、底板５Ａから突出された軸状の一対の突起部である。本実施形態では、ガイド柱部５Ｂの突出方向の端面は、第１側壁部５ｅの突出方向の端面と整列されている。
ガイド柱部５Ｂの中心部には、後述する操作部材４Ｌ、４Ｒを回転可能に係合する貫通孔からなる軸受孔部５ｄが形成されている。
また、ガイド柱部５Ｂと先端開口５ｃとの間には、後述する針キャップ保持部材６の押え部６Ｃの外方への変形を規制するため、中心軸線Ｏ５と平行に延ばされた壁体部５ｐが設けられている。
【００２８】
各ガイド柱部５Ｂの外形および配置は、中心軸線Ｏ５に関して線対称である。
図２（ｂ）に示すように、各ガイド柱部５Ｂの側面には、柱中心を通り中心軸線Ｏ５に平行な平面Ｓを境界として、中心軸線Ｏ５側の側面に、第１ガイド面５ｈ（第１案内部）、第２ガイド面５ｉ（第２案内部）、および第３ガイド面５ｎ（第３案内部）が形成され、中心軸線Ｏ５と反対側の側面に外側面５ｍが形成されている。
【００２９】
各第１ガイド面５ｈ、第２ガイド面５ｉ、および第３ガイド面５ｎは、注射器収容部材５の基端部から先端部に向かって、この順に形成されている。
各第１ガイド面５ｈは、中心軸線Ｏ５に直交する方向における互いの間隔が、注射器収容部材５の基端部から先端部に向かうにつれて、漸次縮幅するガイド面である。本実施形態では、一例として、部分円筒面から構成されている。
各第２ガイド面５ｉは、中心軸線Ｏ５に直交する方向における互いの間隔が、注射器収容部材５の基端部から先端部に向かうにつれて、一定値Ｗ２となる平面状のガイド面である。本実施形態では、一例として、隣接する第１ガイド面５ｈの頂部において滑らかに接続する平面からなる。
各第３ガイド面５ｎは、中心軸線Ｏ５に直交する方向における互いの間隔が、注射器収容部材５の基端部から先端部に向かうにつれて、拡幅するガイド面である。本実施形態では、一例として、隣接する第２ガイド面５ｉの端部において滑らかに接続する第１ガイド面５ｈよりも小径の部分円筒面からなる湾曲面部５ｊと、この湾曲面部５ｊと滑らかに接続し、中心軸線Ｃに直交する方向に延ばされた平面部５ｋとからなる。
【００３０】
外側面５ｍは、ガイド面としての機能は有しないため、適宜の湾曲面や複数の平面が隣接して形成される角柱状の面などを採用することができる。本実施形態では、一例として、第１ガイド面５ｈと同径の円筒面を採用している。
【００３１】
このような構成の注射器収容部材５の材質は、特に限定されず、例えば、合成樹脂、金属、あるいは、これらの複合体を採用することができる。本実施形態では、一例として、合成樹脂の一体成形によって製作されている。
【００３２】
針キャップ保持部材６は、針キャップ５４を側方から保持する部材であり、注射器収容部材５のスライド面５ａ上で、中心軸線Ｃに沿って進退可能に設けられている。
図３（ａ）、（ｂ）、（ｃ）に示すように、針キャップ保持部材６は、スライド板６Ａに、係合ピン６ａ、針キャップ受け台６Ｂ、および押え部６Ｃが設けられている。
針キャップ保持部材６の外形状は、スライド板６Ａの中心軸線Ｏ６Ａを通り、スライド板６Ａに直交する平面に関して面対称な形状を有する。
【００３３】
スライド板６Ａは、中心軸線Ｏ５に沿って進退するため、第１表面Ｓ１がスライド面５ａ上に載置される平面視矩形状の板状部である。第１表面Ｓ１と反対側の表面は、第２表面Ｓ２と称する。
スライド板６Ａの長手方向の端部のうち、第１端部Ｅ１は、注射器収容部材５に載置されるとき、注射器収容部材５の基端部に向けられる端部であり、第２端部Ｅ２は、注射器収容部材５の先端部に向けられる端部である。
【００３４】
係合ピン６ａは、注射器収容部材５のガイド孔部５ｂと略同じ外径を有し、ガイド孔部５ｂに挿通されてガイド孔部５ｂと中心軸線Ｏ５に沿って移動可能に係合する円柱状の突起である。
係合ピン６ａは、第１端部Ｅ１を通る中心軸線Ｏ６Ａ上に中心軸線Ｏ６ａ（図３（ｂ）参照）を有し、第１表面Ｓ１から突出して形成されている。
係合ピン６ａの突出高さは、注射器収容部材５の底板５Ａおよび後述する操作部材４Ｌ、４Ｒのカム板部２Ｒ、２Ｌを貫通する寸法に形成されている。
【００３５】
針キャップ受け台６Ｂは、針キャップ５４を載置し、針キャップ５４を、平面視で中心軸線Ｏ６Ａと重なる位置において、第１表面Ｓ１から一定の高さとなる位置に保持するための突起部であり、第２端部Ｅ２における第２表面Ｓ２上に、突出して設けられている。
本実施形態では、中心軸線Ｏ６Ａに直交する方向に突条からなり、その延在方向の中心部に、針キャップ５４の外径と略同径の円弧状の凹面からなるキャップ受け面６ｂが形成されている。
【００３６】
押え部６Ｃは、図３（ｃ）に示すように、針キャップ受け台６Ｂの針キャップ受け面６ｂ上に載置された針キャップ５４を針キャップ受け台６Ｂの側方から挟むように設けられた可撓性を有する一対の突起部である。
本実施形態では、押え部６Ｃは、図３（ｂ）に示すように、中心軸線Ｏ６Ａの側方から見た形状が、針キャップ受け台６Ｂから第２端部Ｅ２の先端までの幅を有する矩形状である。
また、押え部６Ｃは、第２表面Ｓ２から第２表面Ｓ２に垂直かつ中心軸線Ｏ６Ａと平行となるように突出された薄肉板状のばね部６ｃと、ばね部６ｃの突出方向の先端部に形成されたばね部６ｃよりも厚肉の押圧部６ｄとを備える。
【００３７】
各押え部６Ｃが互いに対向する溝内面６ｇは、ばね部６ｃの自然状態では第２表面Ｓ２から垂直に立ち上がり、針キャップ受け面６ｂに載置される針キャップ５４の頂部よりも高い位置まで延ばされている平面からなる。
押え部６Ｃの突出方向の先端部における各溝内面６ｇには、針キャップ受け面６ｂに載置される針キャップ５４の頂部よりも高い位置において、互いの対向方向に突出する内側突起６ｉが設けられている。
このため、押え部６Ｃは、針キャップ受け台６Ｂとともに、針キャップ５４を半周以上にわたって囲むことができる保持部を構成している。
【００３８】
溝内面６ｇの裏面側における押圧部６ｄは、第１側面６ｅと、第２側面６ｆとを備える。
第１側面６ｅは、溝内面６ｇと平行な平面からなり、中心軸線Ｏ６Ａに沿う方向の位置が針キャップ受け台６Ｂと重なる領域に形成されている。
第２側面６ｆは、第１側面６ｅに隣接して、第２端部Ｅ２に向かうにつれて押圧部６ｄの板厚を漸次低減する凹形状を形成する湾曲面からなる。
本実施形態では、第２側面６ｆは、注射器収容部材５のガイド柱部５Ｂの第１ガイド面５ｈと同径の部分円筒面で構成される。
第２側面６ｆの先端における板厚と第１側面６ｅにおける板厚との差である段差ｈは、各押え部６Ｃを、互いの対向方向にたわませることにより、針キャップ５４の外周面を必要な押圧力で押圧することができるように決める。
【００３９】
このような構成の針キャップ保持部材６の材質は、ばね部６ｃが板ばねとして機能するように、少なくともばね部６ｃが弾性体で形成されていれば、特に限定されず、例えば、合成樹脂、金属、あるいは、これらの複合体を採用することができる。
本実施形態では、一例として、合成樹脂の一体成形によって製作されている。
【００４０】
図４（ａ）、（ｂ）に示すように、操作部材４Ｌ、４Ｒは、針キャップ５４を抜去するために、針キャップ保持部材６の中心軸線Ｏ５に沿う方向の進退動作を操作する部材であり、注射器収容部材５に対して回動可能に取り付けられている。
操作部材４Ｌ、４Ｒは、その形状や配置が、注射器収容部材５の中心軸線Ｏ５に関して、線対称になっている。以下では、まず、操作部材４Ｌの構成について説明し、操作部材４Ｒについては、操作部材４Ｌと異なる点を中心に説明する。操作部材４Ｒにおける操作部材４Ｌと線対称な形状や配置については、容易に読み替え可能であるため、同一の符号または符号の添字をＲに変更した符号を付し、説明を省略する場合がある。
【００４１】
操作部材４Ｌは、注射器補助治具１を平面視した状態で、注射器収容部材５の先端部を上方、基端部を下方に配置したとき、中心軸線Ｏ５に向かって左側（図４（ａ）における下側、図示矢印Ｌの方）に設けられている。以下では、簡単のため、このような配置に基づいて、注射器収容部材５の中心軸線Ｏ５に対する相対位置や領域について、矢印Ｌ側、矢印Ｌ方向と称する場合がある。また、中心軸線Ｏ５に対して、これと反対の側、反対方向を、矢印Ｒ側、矢印Ｒ方向と称する場合がある。
【００４２】
図１に示すように、操作部材４Ｌは、注射器収容部材５の矢印Ｌ側のガイド柱部５Ｂにおいて、底板５Ａに平行な平面内で回動可能に連結されたハンドルレバー３Ｌと、ハンドルレバー３Ｌの回動を直動運動に変換して針キャップ保持部材６に伝達するカム板部２Ｌとを備える。
以下では、図１、図４（ａ）に示すように、ハンドルレバー３Ｌが矢印Ｌ側に回動して注射器収容部材５から最も遠ざかった状態を「開状態」と称し、図４（ｂ）に示すように、注射器収容部材５に最も近づいた状態を「閉状態」と称する。
【００４３】
図１、図４（ａ）、（ｂ）に示すように、ハンドルレバー３Ｌは、アーム部３ａ、回転軸３ｂ、ハンドル天面部３ｃ、およびハンドル側面部３ｄを備える。
アーム部３ａは、閉状態で注射器収容部材５の第１側壁部５ｅに沿うように延ばされた細長い板状部である。
回転軸３ｂは、アーム部３ａの一端からアーム部３ａに直交する方向に突出され、ガイド柱部５Ｂの軸受孔部５ｄに挿通される軸状部であり、ハンドルレバー３Ｌの回転支軸となる部分である。
ハンドル天面部３ｃは、アーム部３ａの他端に連結され、回転軸３ｂと直交する方向において、アーム部３ａよりも矢印Ｌ側に張り出した平板部である。
ハンドル側面部３ｄは、ハンドル天面部３ｃの張り出した部位の輪郭に沿って回転軸３ｂと同方向に延ばされた湾曲板部である。
【００４４】
ハンドル天面部３ｃおよびハンドル側面部３ｄは、図４（ｂ）に示すように、閉状態で注射器収容部材５の矢印Ｌ側の第２側壁部５ｆを上方（図４（ｂ）の紙面手前側）および側方（図４（ｂ）の図示下側）から覆う凹所３ｅを形成している。
ここで、ハンドル天面部３ｃが矢印Ｌ側の第２側壁部５ｆの上方を覆う範囲は、矢印Ｌ側のフランジ収容穴５ｇに注射器５０のフランジ部５１ａが収容された際に、フランジ部５１ａと重なる範囲である。本実施形態では、ハンドル天面部３ｃは、注射器５０のつば部５１ｂと干渉を避けるために、矢印Ｒ側に切欠部３ｆが形成されている。
【００４５】
図１に示すように、カム板部２Ｌは、注射器収容部材５の底板５Ａの裏面側に配置された板状部であり、軸受孔部５ｄから突出した回転軸３ｂとハンドル側面部３ｄの端部とによって、ハンドルレバー３Ｌと連結されている。
このため、カム板部２Ｌは、ハンドルレバー３Ｌが回動される際に同様にして、回転軸３ｂを中心に回動する。また、カム板部２Ｌとハンドルレバー３Ｌとの間には注射器収容部材５が挟まれている。
【００４６】
カム板部２Ｌは、図５に示すように、二点鎖線で表されたハンドルレバー３Ｌの外形とちょうど重なる領域である対向部２Ａと、対向部２Ａよりも矢印Ｌ側に突出された外側部２Ｂと、対向部２Ａよりも矢印Ｒ側に突出された内側部２Ｃとで構成される。
【００４７】
対向部２Ａには、ハンドルレバー３Ｌの回転軸３ｂと対向する位置に回転軸３ｂを挿通させて回転軸３ｂが固定される孔部２ｂと、ハンドルレバー３Ｌの切欠部３ｆに対向する位置に同形状を有する切欠部２ｆとが形成されている。
切欠部２ｆが形成されることにより、操作部材４Ｌが閉状態になっても、注射器収容部材５のフランジ係止孔５ｑから突出する注射器５０のつば部５１ｂと、カム板部２Ｌとの干渉が防止される。
【００４８】
外側部２Ｂは、ハンドルレバー３Ｌのアーム部３ａに対向する対向部２Ａから山形に突出された突片部と、ハンドルレバー３Ｌのハンドル天面部３ｃに対向する対向部２Ａから山形に突出された突片部とを有する。これにより、各突片部の間に、操作者の指をかけるための凹状部であるグリップ部２ａが形成されている。
【００４９】
内側部２Ｃは、ハンドルレバー３Ｌの回動に伴って、注射器収容部材５の底板５Ａの裏面に沿って摺動する平面視略三角形状の突片部であり、注射器収容部材５のガイド孔部５ｂから突出された係合ピン６ａが挿通して係合されるカム孔２ｃが形成されている。
カム孔２ｃは、操作部材４Ｌの開状態を規定する第１端部ｅ１と、操作部材４Ｌの閉状態を規定する第２端部ｅ２との間を、係合ピン６ａの外形と略同幅で結ぶ貫通孔である。
カム孔２ｃの中心線Ｔ上の各点と回転軸３ｂとの間の距離ｄは、第１端部ｅ１で最大となり、第２端部ｅ２に向かうにつれて漸次減少して、第２端部ｅ２で最小になっている。
図５では、カム孔２ｃは、一例として、中心線Ｔが直線状の長孔形状の場合を図示している。ただし、カム孔２ｃの中心線Ｔは、針キャップ保持部材６の移動速度を変えるため、曲線状あるいは折れ線状とすることも可能である。
【００５０】
図４（ａ）、（ｂ）に示すように、操作部材４Ｒは、以上に説明した操作部材４Ｌを中心軸線Ｏ５に関して線対称な形状、位置に設けたものであり、操作部材４Ｌのハンドルレバー３Ｌ、カム板部２Ｌに代えて、ハンドルレバー３Ｒ、カム板部２Ｒを備える。
操作部材４Ｒが線対称である点以外に操作部材４Ｌと異なる点は、図５に示すように、カム板部２Ｒが、カム板部２Ｌと重ねて配置されている点である。
このため、ハンドルレバー３Ｒのハンドル側面部３ｄの突出方向の長さは、ハンドルレバー３Ｌのハンドル側面部３ｄよりもカム板部２Ｒの板厚分だけ長くなっている。
また、カム板部２Ｒのカム孔２ｃには、注射器収容部材５のガイド孔部５ｂとカム板部２Ｌのカム孔２ｃとを貫通した係合ピン６ａが挿通されている。係合ピン６ａは、図示略の抜け止め部材によりカム板部２Ｌのカム孔２ｃから抜け止めされている。
【００５１】
このような構成により、注射器補助治具１では、操作部材４Ｌ、４Ｒが、回転軸３ｂが注射器収容部材５の軸受孔部５ｄに挿入されて、注射器収容部材５に対して回動可能に取り付けられている。
また、針キャップ保持部材６の係合ピン６ａが、注射器収容部材５のガイド孔部５ｂとカム板部２Ｌ、２Ｒの各カム孔２ｃとに挿通されることにより、操作部材４Ｌ、４Ｒの回動に連動して、針キャップ保持部材６がスライド面５ａ上を進退するようになっている。
また、針キャップ保持部材６がスライド面５ａ上を進退する際には、後述するように、ガイド柱部５Ｂの第１ガイド面５ｈ、第２ガイド面５ｉ、および第３ガイド面５ｎによって、針キャップ保持部材６における保持状態と保持解除状態とが切り替えられる。
このため、ガイド孔部５ｂが形成された底板５Ａと、ガイド柱部５Ｂと、カム孔２ｃが形成されて回転軸３ｂによって回動可能に設けられたカム板部２Ｌ、２Ｒとは、連動機構１０（連動機構部）を構成している。
連動機構１０は、針キャップ保持部材６の保持状態と保持解除状態とを切り替えるとともに、保持状態において針キャップ保持部材６を中心軸線Ｏ５（軸線方向）に沿って移動させる連動機構部になっている。
【００５２】
次に、このような構成の注射器補助治具１の動作について説明する。
図６（ａ）、（ｂ）は、本発明の実施形態の注射器補助治具の注射器収容動作を説明する斜視図および平面図である。図７は、本発明の実施形態の注射器補助治具の保持解除状態における針キャップと針キャップ保持部材との関係を示す模式図である。図８は、本発明の実施形態の注射器補助治具の保持状態における針キャップと針キャップ保持部材との関係を示す模式図である。図９（ａ）、（ｂ）は、本発明の実施形態の注射器補助治具の針キャップ抜去動作を説明する斜視図および平面図である。
【００５３】
注射器補助治具１によって、注射器５０の針キャップ５４を抜去するには、まず、図６（ａ）に示すように、注射器５０を注射器収容部材５に収容する。
すなわち、図６（ｂ）に示すように、注射器補助治具１の操作部材４Ｌ、４Ｒを開状態としておき、側壁５Ｄで形成される略Ｔ字状の溝部に、図１に示す矢印Ｉ方向から、注射器５０を挿入する。
このとき、注射器５０の各フランジ部５１ａは、各フランジ収容穴５ｇに挿入され、外筒部５１は、各第１側壁部５ｅの間に挿入される。
【００５４】
操作部材４Ｌ、４Ｒが開状態の時、係合ピン６ａは、各カム孔２ｃの作用により、注射器収容部材５のガイド孔部５ｂ内において回転軸３ｂから最も離れた位置に移動されている。
本実施形態では、図６（ｂ）に示すように、針キャップ保持部材６は、各押圧部６ｄが、対応するガイド柱部５Ｂと第１側壁部５ｅの間に位置しており、針キャップ５４において外筒部５１に向いた基端部が、針キャップ受け面６ｂ上に載置された状態になっている。
押圧部６ｄの配置をより詳しく説明すると、図２（ｂ）に二点鎖線で示す押圧部６ｄ１のように、第２側面６ｆがガイド柱部５Ｂの第１ガイド面５ｈと当接し、第１側面６ｅが、第１ガイド面５ｈと第１側壁部５ｅの先端部との間に入り込んでいる。
このとき、図７に示すように、各押え部６Ｃの溝内面６ｇは、スライド板６Ａに対して略垂直になっており、溝内面６ｇ間の幅はｗ１（ただし、ｗ１＞Ｄ）である。このため、針キャップ５４の基端部と各溝内面６ｇとの間には、隙間が形成されており、針キャップ保持部材６は保持解除状態にある。
【００５５】
次に、操作者は、例えば、操作部材４Ｌ、４Ｒの各グリップ部２ａに指をかけるなどして、操作部材４Ｌ、４Ｒを注射器収容部材５に向けて閉じる操作を行う（図６（ａ）の矢印参照）。
このとき、操作部材４Ｌ、４Ｒは、針キャップ保持部材６の係合ピン６ａを介して一体に係合されているため、操作部材４Ｌ、４Ｒのいずれか一方が操作されると、これに連動して他方も対称に移動していく。このため、例えば、手が不自由な操作者のように、各グリップ部２ａに均等に力を掛けることができなくても、いずれかのグリップ部２ａに力を入れることができれば、操作部材４Ｌ、４Ｒは、円滑に閉じられていく。
【００５６】
このようにして、操作部材４Ｌ、４Ｒが各回転軸３ｂを中心としてそれぞれ回動し始めると、各カム孔２ｃは、中心軸線Ｏ５上で、注射器収容部材５の先端側に漸次移動していく。このため、ガイド孔部５ｂ内で移動可能に係合された係合ピン６ａもまた、各カム孔２ｃの移動に合わせて注射器収容部材５の先端側に移動する。
これにより、針キャップ保持部材６が、注射器収容部材５の先端部の方に移動し始める。このとき、外筒部５１は、フランジ収容穴５ｇによって中心軸線Ｏ５に沿う方向の位置が固定され、スライド板６Ａの第２表面Ｓ２上に載置されているのみであるため、針キャップ保持部材６のみが移動していく。
また、針キャップ５４は、注射針５３が挿入されて外筒部５１と一体になった状態で、針キャップ保持部材６の針キャップ受け面６ｂ上に載置されているのみであるため、静止している。
【００５７】
針キャップ保持部材６が移動し始めると、図２（ｂ）に示すように、押圧部６ｄ１は、第１ガイド面５ｈ上を滑って移動するため、第１ガイド面５ｈの傾斜に応じて、次第に、中心軸線Ｏ５側に移動していく。例えば、押圧部６ｄ２として示すように、第１側面６ｅが第２ガイド面５ｉに乗り上げる。このため、押圧部６ｄ２は、第２側面６ｆの先端部と第１側面６ｅとの段差ｈだけ、中心軸線Ｏ５側に押し込まれている。
【００５８】
このようにして、各押圧部６ｄが互いに対向方向に押し込まれていくと、図８に示すように、押圧部６ｄを支持するばね部６ｃは、弾性変形して、押圧部６ｄとの接続部においてｈだけ中心軸線Ｏ５に向かってたわむ。
これにより、各内側突起６ｉが、針キャップ５４の上半の外周面に当接して、針キャップ５４が中心部に向かって押圧される。
このため、針キャップ保持部材６では、各内側突起６ｉと針キャップ受け面６ｂとによって、針キャップ５４を三方から押圧して保持する保持状態が形成される。
【００５９】
このような保持状態は、針キャップ保持部材６が移動を開始してから、押圧部６ｄの第１側面６ｅが第２ガイド面５ｉに乗り上げるまでの間に形成される。
そして、押圧部６ｄが第２ガイド面５ｉと当接している間は、この保持状態が維持される。
したがって、少なくとも押圧部６ｄが第２ガイド面５ｉを通過している間は、保持状態の針キャップ５４が針キャップ保持部材６とともに、注射器収容部材５の先端部に向かって移動する。
【００６０】
このため、第１ガイド面５ｈは、押圧部６ｄを、針キャップ５４の外周面の側方に離間する位置から針キャップ５４の外周面を押圧する位置に案内する第１案内部を構成している。
第２ガイド面５ｉは、押圧部６ｄを、針キャップ５４の外周面を押圧する位置に保持する第２案内部を構成している。
【００６１】
図９（ｂ）に断面形状を示すように、針キャップ５４は、キャップ本体５４ａの内部に配置された緩衝材５４ｂに形成された挿入穴５４ｃに注射針５３が挿入されることで、注射針５３と緩衝材５４ｂとの摩擦力のみによって固定されている。このため、針キャップ５４は、針キャップ保持部材６によって、先端側に引き抜かれていく。
【００６２】
さらに、閉状態に向けて、操作部材４Ｌ、４Ｒを閉じていくと、針キャップ保持部材６の移動が進み、図２（ｂ）に示す押圧部６ｄ３のように、第１側面６ｅが第２ガイド面５ｉから離脱し第３ガイド面５ｎが形成された領域に移動していく。
第３ガイド面５ｎの湾曲面部５ｊの領域では、各押圧部６ｄが対向方向と反対側に漸次移動して、各ばね部６ｃのたわみが漸次減少する。第３ガイド面５ｎにおいて湾曲面部５ｊよりも先端側には平面部５ｋが形成されているため、各押圧部６ｄが湾曲面部５ｊを通過すると第３ガイド面５ｎを抜け出した状態になり、ガイド柱部５Ｂからの押圧力が解除される。これにより、ばね部６ｃが自然状態に戻って、図７に示すように、各溝内面６ｇ間の間隔がｗ３（ただし、ｗ３＞Ｄ）に広がる。
このため、各押圧部６ｄが湾曲面部５ｊを通過中に各内側突起６ｉが針キャップ５４から離間し、針キャップ保持部材６が保持解除状態になる。
【００６３】
このため、第３ガイド面５ｎは、押圧部６ｄを、針キャップ５４の外周面を押圧する位置から針キャップ５４の外周面の側方に離間する位置に案内する第３案内部を構成している。
【００６４】
こうして、図９（ａ）、（ｂ）に示すように、操作部材４Ｌ、４Ｒが閉状態になるまでの間に、針キャップ５４は外筒部５１に対して注射器収容部材５の先端側に移動し、かつ針キャップ保持部材６による保持が解除された状態になる。
このため、保持状態から保持解除状態になった際の移動速度に応じて、針キャップ５４が注射針５３および針キャップ保持部材６から離脱していくことで、針キャップ５４が注射針５３から抜去される。
【００６５】
このように、注射器補助治具１によれば、注射器５０を注射器収容部材５に収容して、操作者が操作部材４Ｌ、４Ｒを閉じるという簡単な操作により、注射針５３から針キャップ５４を容易に抜去することができる。
注射器補助治具１では、針キャップ保持部材６の押え部６Ｃによって針キャップ５４を側方から押圧して保持した状態で引き抜いていくため、針キャップ５４を抜去するための特定の穴部、溝部、引っかけ部などが形成されていなくてもよい。このため、種々の形状の針キャップ５４を抜去することができて、汎用性に優れる。
また、押え部６Ｃは、弾性変形可能であるため、針キャップ５４の外径が多少変化したり、針キャップ５４の外径がばらついたりしても、保持することが可能である点でも、汎用性に優れる。
【００６６】
また、上記実施形態では、押え部６Ｃが、針キャップ５４の基端部を保持する場合の例で説明したが、針キャップ５４の保持位置は、針キャップ５４の中間部や先端部でもよい。したがって、例えば、外筒部の長さが異なる注射器であっても、針キャップが針キャップ受け面６ｂに載置されれば、抜去できるため、種々の形状の注射器から針キャップ５４を抜去できる点でも汎用性に優れる。
【００６７】
また、押え部６Ｃによる保持状態は、内側突起６ｉおよび針キャップ受け面６ｂによりほとんど３点保持の状態であるため、針キャップ５４の外形状が円筒面以外であっても、良好に保持できる点でも、種々の形状の針キャップ５４を抜去することができ、汎用性に優れる。
【００６８】
さらに、押え部６Ｃによれば、押圧力が針キャップ５４の中心部に向かい、針キャップ５４が、外筒部５１が載置された底板５Ａに対して一定の高さとなる位置で保持される。このため、保持状態で針キャップ５４に押圧力が作用しても、注射針５３に対する曲げが働かないように保持することができるため、抜去時の摩擦力を低減して円滑に抜去することができる。
また、針キャップ保持部材６による保持状態での移動方向は、スライド面５ａに平行であって、中心軸線Ｏ５に沿っているため、注射針５３の延在方向に沿って、針キャップ５４を抜去することができる点でも、抜去時の摩擦力を低減して円滑に抜去することができる。
【００６９】
注射器補助治具１によれば、操作部材４Ｌ、４Ｒが閉状態であっても開状態であっても、注射器５０の外筒部５１および針キャップ５４が、ハンドルレバー３Ｌ、３Ｒには覆われず、図１の矢印Ｉ方向から、視認することができる。このため、万一抜去動作の間に、不具合が発生しても、操作者が外部から容易に視認することができて、操作の進行状況を監視することができる。
また、操作部材４Ｌ、４Ｒを透明な材料などで形成する必要がないため、材料の選択自由度が増えて、部品コストを低減することが可能である。
【００７０】
注射器補助治具１では、操作部材４Ｌ、４Ｒを所定の速度で閉じる場合の、針キャップ５４および針キャップ保持部材６の移動速度は、カム孔２ｃの形状を適宜設定することにより適宜抑制することができる。このため、抜去時の針キャップ５４に勢いがつきすぎて、針キャップ５４が遠くまで飛んだりする不具合を防止できる。
例えば、従来技術では抜去動作では、針キャップ５４の引き抜きに要する抵抗は抜去の初期で最大となり、ある程度進むと、緩衝材５４ｂと注射針５３との摩擦が急峻に減少するため、このタイミングで針キャップ５４が急に加速される。しかし、本実施形態によれば、このような摩擦が変化するタイミングで針キャップ保持部材６が保持状態になるようにすることで、針キャップ５４の加速を抑制することができる。
また、保持状態から保持解除状態に切り替わる際には、針キャップ５４の側方に押え部６Ｃが近接している状態である。これにより、保持解除状態になった状態でも、針キャップ５４の動きが、押え部６Ｃによってある程度規制されるため、例えば、針キャップ５４を基端側から押し出して無拘束の状態で抜去する場合に比べて、抜去後の針キャップ５４の位置のバラツキを低減することができる。
【００７１】
なお、上記実施形態の説明では、操作部材４Ｌ、４Ｒの開閉を中心軸線Ｏ５に関して線対称に行う場合の例で説明したが、完全に線対称に行うことは必須ではない。例えば、操作者が右手で操作するか左手で操作するかに応じて、非対称の開閉動作が行われるようにしてもよい。
また、同様にして、上記では、線対称な形状、配置として説明した各部、各部材も、厳密な対称性は必須ではなく、略線対称な形状、配置や、対称性を有しない形状、配置とすることも可能である。
【００７２】
上記実施形態の説明では、第３ガイド面５ｎを、湾曲面部５ｊ、平面部５ｋから構成することにより、第１ガイド面５ｈによって保持解除状態から保持状態に到るよりも急峻に保持状態から保持解除状態に到る場合の例で説明したが、このように設定することは必須ではない。
例えば、第３ガイド面５ｎの形状を、より長い区間の間で、漸次中心軸線Ｏ５から離間する傾斜面や湾曲面で構成することにより、保持状態から保持解除状態に到る際の各押え部６Ｃの拡幅動作の変化を緩めることが可能である。
【００７３】
上記実施形態の説明では、針キャップ５４が、一対の内側突起６ｉ、針キャップ受け面６ｂによって、略３点保持される場合の例で説明したが、略３点保持することは必須ではない。例えば、３点以上の多点で保持してもよいし、内側突起６ｉに代えて、溝内面６ｇで保持してもよい。
例えば、溝内面６ｇで保持する場合、溝内面６ｇを、軟性材料、針キャップ５４に対して摩擦係数が大きくなるゴムや発泡材などの材料、あるいは摩擦係数が大きくなる粗面で形成することが可能である。この場合、針キャップ５４の外周面に溝内面６ｇが面状に押圧されることにより、針キャップ５４を保持する構成とすることも可能である。
【００７４】
上記の実施形態に説明したすべての構成要素は、本発明の技術的思想の範囲で適宜組み合わせを代えたり、削除したりして実施することができる。
【符号の説明】
【００７５】
１  注射器補助治具
２Ｌ、２Ｒ  カム板部
２ａ  グリップ部
２ｃ  カム孔
３Ｌ、３Ｒ  ハンドルレバー
３ａ  アーム部
３ｂ  回転軸
４Ｌ、４Ｒ  操作部材
５  注射器収容部材（注射器収容部）
５Ａ  底板
５Ｂ  ガイド柱部
５ａ  スライド面
５ｂ  ガイド孔部
５ｇ  フランジ収容穴
５ｈ  第１ガイド面（第１案内部）
５ｉ  第２ガイド面（第２案内部）
５ｎ  第３ガイド面（第３案内部）
６  針キャップ保持部材
６Ａ  スライド板
６Ｂ  針キャップ受け台（保持部）
６Ｃ  押え部（保持部）
６ａ  係合ピン
６ｂ  針キャップ受け面
６ｃ  ばね部（弾性体）
６ｄ、６ｄ１、６ｄ２、６ｄ３  押圧部
６ｅ  第１側面
６ｆ  第２側面
６ｉ  内側突起（保持部）
１０  連動機構
５０  注射器
５１  外筒部
５１ａ  フランジ部
５３  注射針
５４  針キャップ
５４ａ  キャップ本体
Ｃ、Ｏ５、Ｏ６Ａ、Ｏ６ａ  中心軸線
【図１】
2015208567.tif 000003
【図２】
2015208567.tif 000004
【図３】
2015208567.tif 000005
【図４】
2015208567.tif 000006
【図５】
2015208567.tif 000007
【図６】
2015208567.tif 000008
【図７】
2015208567.tif 000009
【図８】
2015208567.tif 000010
【図９】
2015208567.tif 000011